(57)【要約】【課題】設備機器の管理に用いられる管理装置の記憶容量を低減するための機器管理システム、管理装置、処理装置および対応データの取得方法を提供する。【解決手段】機器監視システム１は、設備機器１０、１１、１２を管理するための機器管理システムであって、管理装置３、４と、処理装置５と、提供装置とを備えている。管理装置３、４は、固有のデータ処理仕様を有する。また、管理装置３、４は、データ処理仕様に対応する対応データに基づいて設備機器１０、１１、１２を管理する。処理装置５は、処理前データを対応データに情報処理する。また、処理装置５は、管理装置３、４に対応データを提供する。提供装置は、処理装置５に処理前データを提供する。【選択図】        図１
2004258974.tif 000002
【特許請求の範囲】
【請求項１】
設備機器（１０、１１、１２）を管理するための機器管理システムであって、固有のデータ処理仕様を有し、前記データ処理仕様に対応する形式の対応データ（ｄ１、ｄ２）に基づいて前記設備機器（１０、１１、１２）を管理する管理装置（３、４）と、
処理前データ（Ｄ）を前記対応データ（ｄ１、ｄ２）に情報処理し、前記管理装置（３、４）に前記対応データ（ｄ１、ｄ２）を提供する処理装置（５）と、前記処理装置（５）に前記処理前データ（Ｄ）を提供する提供装置（６０）と、
を備える機器管理システム（１）。
【請求項２】
前記提供装置（６０）は、前記設備機器（１０、１１、１２）が設けられる現地（２）から遠方に設けられる、
請求項１に記載の機器管理システム（１）。
【請求項３】
前記管理装置（３、４）は、前記現地（２）に設けられる、
請求項２に記載の機器管理システム（１）。
【請求項４】
前記処理装置（５）は、前記現地（２）に設けられる、
請求項２または３に記載の機器管理システム（１）。
【請求項５】
一台の前記提供装置（６０）が、前記処理前データ（Ｄ）を前記処理装置（５）に提供し、
前記処理装置（５）は、複数台の前記管理装置（３、４）に前記対応データ（ｄ１、ｄ２）を提供する、
請求項１から４のいずれかに記載の機器管理システム（１）。
【請求項６】
前記処理前データ（Ｄ）は、汎用的なデータ形式を有する、
請求項１から５のいずれかに記載の機器管理システム（１）。
【請求項７】
前記対応データ（ｄ１、ｄ２）は、前記設備機器（１０、１１、１２）の機器情報を有する、
請求項１から６のいずれかに記載の機器管理システム（１）。
【請求項８】
前記処理装置（５）は、前記管理装置（３、４）が入れ替えまたは追加される場合に一時的に用いられる汎用情報処理装置である、
請求項１から７のいずれかに記載の機器管理システム（１）。
【請求項９】
前記処理装置（５）は、携行可能である、
請求項１から８のいずれかに記載の機器管理システム（１）。
【請求項１０】
固有のデータ処理仕様を有し、処理前データ（Ｄ）を前記データ処理仕様に対応する形式の対応データ（ｄ１、ｄ２）に情報処理する情報処理装置（５）から前記対応データ（ｄ１、ｄ２）を提供される機器管理装置であって、
前記対応データ（ｄ１、ｄ２）を保持する保持部（３３、４３）と、
前記保持部（３３、４３）において保持される前記対応データ（ｄ１、ｄ２）に基づいて前記設備機器（１０、１１、１２）を管理する管理部（３２、４２）と、
を備える機器管理装置（３、４）。
【請求項１１】
設備機器（１０、１１、１２）を管理するために固有のデータ処理仕様を有する機器管理装置（３、４）に接続される情報処理装置であって、
外部より処理前データ（Ｄ）を取得する取得部（５１）と、
前記処理前データ（Ｄ）を前記データ処理仕様に対応する形式の対応データ（ｄ１、ｄ２）に情報処理する処理部（５２）と、
を備える情報処理装置（５）。
【請求項１２】
固有のデータ処理仕様を有する機器管理装置（３、４）と前記機器管理装置（３、４）に接続される情報処理装置（５）とを備え設備機器（１０、１１、１２）を管理するための機器管理システムにおいて、前記データ処理仕様に対応する形式の対応データ（ｄ１、ｄ２）に基づいて前記設備機器（１０、１１、１２）を管理する前記機器管理装置（３、４）が前記対応データ（ｄ１、ｄ２）を取得するための対応データの取得方法であって、
前記情報処理装置（５）が処理前データ（Ｄ）を外部から取得する第１ステップと、
前記情報処理装置（５）が処理前データ（Ｄ）を前記対応データ（ｄ１、ｄ２）に情報処理する第２ステップと、
前記機器管理装置（３、４）が前記情報処理装置（５）から前記対応データ（ｄ１、ｄ２）を取得する第３ステップと、
を備える対応データの取得方法。
【発明の詳細な説明】
【０００１】
【発明の属する技術分野】
本発明は、機器管理システム、管理装置、処理装置および対応データの取得方法に関する。
【０００２】
【従来の技術】
近年、各種機能を提供する設備機器を総合的に管理（監視、制御など）するための機器管理システムが提案されている（例えば、特許文献１）。
このような機器管理システムは、設備機器に接続される管理装置と、提供装置とを備えている。管理装置は、固有のデータ処理仕様に対応する対応データに基づいて設備機器を管理している。提供装置は、管理装置に対応データを提供している。このような機器管理システムでは、対応データに基づいて設備機器の管理を行っている。
【０００３】
【特許文献１】
特開２００２−１６３００７号公報
【０００４】
【発明が解決しようとする課題】
ところで、このような機器管理システムでは、提供装置が、データ処理仕様の異なる複数の管理装置に対応データを提供することがある。この場合、提供装置が、データ処理仕様の異なる複数の管理装置に対応する様々な形式の対応データを提供することは提供装置の能力上、大変困難である。このため、提供装置は、データ処理仕様の異なる複数の管理装置の大半に対応する汎用な形式のデータをそれぞれの管理装置に提供している。そして、それぞれの管理装置は、提供される汎用な形式のデータを固有のデータ処理仕様に対応する対応データに処理している。その後、それぞれの管理装置は、処理後の固有のデータ処理仕様に対応する対応データに基づいて設備機器の管理を行っている。
【０００５】
このため、従来の機器管理システムでは、汎用な形式のデータを固有のデータ処理仕様に対応する対応データに処理するために、管理装置が多大な記憶容量を必要としている。
そこで、本発明では、設備機器の管理に用いられる管理装置の記憶容量を低減するための機器管理システム、管理装置、処理装置および対応データの取得方法を提供することを目的とする。
【０００６】
【課題を解決するための手段】
請求項１に記載の機器監視システムは、設備機器を管理するための機器管理システムであって、管理装置と、処理装置と、提供装置とを備えている。管理装置は、固有のデータ処理仕様を有する。また、管理装置は、データ処理仕様に対応する対応データに基づいて設備機器を管理する。処理装置は、処理前データを対応データに情報処理する。また、処理装置は、管理装置に対応データを提供する。提供装置は、処理装置に処理前データを提供する。
【０００７】
この機器管理システムでは、処理前データが、提供装置から処理装置に提供される。そして、処理装置において、処理前データが、管理装置固有のデータ処理仕様に対応する対応データに情報処理される。情報処理された対応データは、処理装置により管理装置に提供される。管理装置では、管理装置に提供された対応データに基づいて設備機器が管理される。
【０００８】
ここでは、処理前データから対応データへの情報処理が、処理装置において行われる。したがって、この機器管理システムでは、管理装置が、処理前データを対応データに情報処理するための記憶容量を備える必要がない。このため、この機器管理システムでは、設備機器の管理に用いる管理装置の記憶容量を低減することができる。
【０００９】
請求項２に記載の機器管理システムは、請求項１に記載の機器管理システムであって、提供装置は、設備機器が設けられる現地から遠方に設けられる。
ここでは、提供装置が現地から遠方に設けられる。したがって、例えばシステムの管理者などが、提供装置の管理や操作のために現地に出向く必要がない。このため、この機器管理システムでは、システムの有用性が向上する。
【００１０】
請求項３に記載の機器管理システムは、請求項２に記載の機器管理システムであって、管理装置は、現地に設けられる。
ここでは、管理装置は、設備機器の設けられる現地に設けられる。したがって、管理装置が設備機器を管理する際には、例えば公衆回線の通信状況などの影響を受けにくい。つまり、管理装置と設備機器との間の通信状況が良好であれば、管理装置は設備機器を安定的に管理することができる。このため、この機器管理システムでは、設備機器の管理を安定して行うことができる。
【００１１】
請求項４に記載の機器管理システムは、請求項２または３に記載の機器管理システムであって、処理装置が、現地に設けられる。
ここでは、処理装置は、設備機器の設けられる現地に設けられる。したがって、例えば処理装置の作業者などが、設備機器の設置状況など現地の状況に応じて処理装置を操作することができる。このため、この機器管理システムでは、システムの利便性が向上する。
【００１２】
請求項５に記載の機器管理システムは、請求項１から４のいずれかに記載の機器管理システムであって、一台の提供装置が、処理前データを処理装置に提供する。処理装置は、複数台の管理装置に対応データを提供する。
したがって、ここでは、複数台の管理装置が対応データを取得するために、一台の提供装置が設けられている。つまり、複数台の管理装置に対して提供装置を複数台設ける必要がない。このため、この機器管理システムでは、システムの構成が簡素化される。
【００１３】
請求項６に記載の機器管理システムは、請求項１から５のいずれかに記載の機器管理システムであって、処理前データが、汎用的なデータ形式を有している。ここで言う、汎用的なデータ形式とは、例えば、ＸＭＬ形式などである。
ここでは、処理前データが汎用的なデータ形式を有している。一般的に、汎用的なデータ形式を有するデータは、容量が大きい。したがって、この処理前データも、容量が大きくなっている。従来の機器管理システムの管理装置においては、この容量の大きい処理前データを対応データに情報処理するためには、さらに多大な記憶容量が必要となっている。しかし、この機器管理システムでは、処理前データを対応データに情報処理するための記憶容量を管理装置が備える必要がない。このため、この機器管理システムでは、設備機器の管理に用いる管理装置の記憶容量をさらに低減することができる。
【００１４】
請求項７に記載の機器管理システムは、請求項１から６のいずれかに記載の機器管理システムであって、対応データは、設備機器の機器情報を有している。機器情報とは、設備機器の機種名、設置情報、稼働情報などである。
ここでは、対応データは、設備機器の機器情報を有している。したがって、管理装置は、設備機器の機器情報に基づいて設備機器を管理することができる。つまり、管理装置が、設備機器を詳細に管理することができる。このため、この機器管理システムでは、システムの有用性が向上する。
【００１５】
請求項８に記載の機器管理システムは、請求項１から７のいずれかに記載の機器管理システムであって、処理装置は、汎用情報処理装置である。この汎用情報処理装置は、管理装置が入れ替えまたは追加される場合に一時的に用いられる。ここでは、処理装置が、管理装置の入れ替え時または追加時に、一時的に用いられる。したがって、管理装置の入れ替え時または追加時以外の場合には、この機器管理システムに処理装置を設ける必要がない。このため、この機器管理システムにおいては、システムの構成が簡素化される。
【００１６】
請求項９に記載の機器管理システムは、請求項１から８のいずれかに記載の機器管理システムであって、処理装置が携行可能である。
ここでは、処理装置が携行可能である。したがって、例えば公共回線の通信状態が良好でない場合には、提供装置の設置される場所において、提供装置から処理装置に対して処理前データを提供することができる。そして、例えば作業者などが処理装置を現地に携行することができる。その後、処理装置は、管理装置に対応データを提供することができる。このように、公共回線の通信状態が良好でない場合であっても、管理装置は対応データを取得することができる。このため、この機器管理システムでは、システムの利便性が向上する。
【００１７】
請求項１０に記載の機器管理装置は、固有のデータ処理仕様を有する機器管理装置であって、保持部と、管理部とを備えている。情報処理装置は、処理前データをデータ処理仕様に対応する形式の対応データに情報処理する。また、機器管理装置は、固有のデータ処理仕様を有する。さらに、この機器管理装置は、情報処理装置から対応データを提供される。保持部は、対応データを保持する。管理部は、保持部において保持される対応データに基づいて設備機器を管理する。
【００１８】
この機器管理装置では、機器管理装置において情報処理された後に提供される対応データが、保持部において保持される。そして、情報処理装置から提供される対応データが、保持部において保持される。保持部において保持される対応データに基づいて、管理部において設備機器が管理される。
ここでは、処理前データから対応データへの情報処理が、情報処理装置において行われている。したがって、この機器管理装置は、処理前データを対応データに情報処理するための記憶容量を備える必要がない。このため、この機器管理装置では、設備機器の管理に用いる記憶容量を低減することができる。
【００１９】
請求項１１に記載の情報処理装置は、機器管理装置に接続される情報処理装置であって、取得部と、処理部とを備えている。機器管理装置は、設備機器を管理するために固有のデータ処理仕様を有する。取得部は、外部より処理前データを取得する。処理部は、処理前データをデータ処理仕様に対応する形式の対応データに情報処理する。
【００２０】
この情報処理装置では、処理前データが取得部により外部から取得される。取得された処理前データは、機器管理装置固有のデータ処理仕様に対応する形式の対応データに情報処理される。
ここでは、処理前データから対応データへの情報処理が、情報処理装置において行われる。したがって、この情報処理装置では、機器管理装置が、処理前データを対応データに情報処理するための記憶容量を備える必要がない。このため、この情報処理装置を用いれば、機器管理装置の記憶容量を低減することができる。
【００２１】
請求項１２に記載の対応データの取得方法は、設備機器を管理するための機器管理システムにおいて、機器管理装置が対応データを取得するための対応データの取得方法であって、第１ステップと、第２ステップと、第３ステップとを備えている。機器管理システムは、固有のデータ処理仕様を有する機器管理装置と機器管理装置に接続される情報処理装置とを備えている。機器管理装置は、データ処理仕様に対応する形式の対応データに基づいて設備機器を管理する。第１ステップでは、情報処理装置が処理前データを外部から取得する。第２ステップでは、情報処理装置が処理前データを対応データに情報処理する。第３ステップでは、機器管理装置が情報処理装置から対応データを取得する。
【００２２】
この対応データの取得方法では、処理前データから対応データへの情報処理が、情報処理装置において行われる。したがって、機器管理装置が、処理前データを対応データに情報処理するための記憶容量を備える必要がない。このため、この情報処理装置を用いれば、機器管理装置の記憶容量を低減することができる。
【００２３】
【発明の実施の形態】
＜空気調和装置の管理システムの全体構成＞
本発明の一実施の形態が採用される空気調和装置の管理システム１の概略構成を、図１に示す。空気調和装置の管理システム１は、遠隔管理センタ６を運営する事業者が、所定の外部通信機能を有する複数の空気調和装置１０、１１、１２が配備されている建物２のオーナーや空気調和装置１０、１１、１２の使用者などに対して様々なサービスを提供するためのシステムである。この空気調和装置の管理システム１は、主に、遠隔管理センタ６内のサーバコンピュータ６０（図３参照）と、建物２のローカル空調管理システムとから構成されている。遠隔管理センタ６は、空気調和装置１０、１１、１２の設置される建物２の遠方に設けられている。ローカル空調管理システムは、インターネットなどのネットワークを介して遠隔管理センタ６内のサーバコンピュータ６０に接続されている。ローカル空調管理システムのコントローラ３、４は、ネットワークを介して、サーバコンピュータ６０に対して定期的に所定のデータ送信を行っている。
【００２４】
なお、ここでは、建物２に配置されている複数の空気調和装置１０、１１、１２をシステムの前提としているが、小さなシステムにおいては、１つの管理装置により１つの空気調和装置が管理されることもあり得る。
＜遠隔管理センタのサーバコンピュータの構成＞
サーバコンピュータ６０は、空気調和装置１０、１１、１２の設置される建物２の遠方に設けられる遠隔管理センタ６に設けられている。遠隔管理センタ６は、建物２に配備される空気調和装置１０、１１、１２の故障監視、故障予知、設備利用の料金管理、データ解析による改善提案、各種報告書の作成などを行うために設置されている。サーバコンピュータ６０は、一台のコンピュータから構成されている。また、サーバコンピュータ６０は、建物２などのコントローラ３、４から送信される種々のデータを管理・蓄積し、故障監視や各種報告書の作成などの様々なサービスを提供するための機能を備えている。
【００２５】
また、サーバコンピュータ６０は、図２に示すように、データベース６２と、サーバ通信部６１とを有している。データベース６２は、事前に取得された空気調和装置１０、１１、１２に関する処理前データＤを保持している。処理前データＤのデータ形式は、ＸＭＬなどの汎用的なデータ形式である。処理前データＤには、空気調和装置１０、１１、１２の機器情報が含まれている。機器情報とは、空気調和装置１０、１１、１２の機種名、設置情報、稼働情報などである。サーバ通信部６１は、ネットワークを介して、データベース６２に保持される処理前データＤを情報処理装置５に送信する。
【００２６】
＜建物内のローカル空調管理システムの構成＞
建物２内に配備されているローカル空調管理システムは、それぞれ別の冷媒系統を有する複数の空気調和装置１０、１１、１２を、コントローラ３、４により一括して管理するシステムである。具体的には、コントローラ３、４は、建物２のオーナーからの指令により、空気調和装置１０、１１、１２の制御を行ったり、建物２の管理者などに対して空気調和装置１０、１１、１２に関する管理データを提供したりする。
【００２７】
（情報処理装置）
コントローラ３、４の入れ替え時、または、新規なコントローラの追加時などには、情報処理装置５が、一時的にコントローラ３、４とサーバコンピュータ６０との間に配備される（図１参照）。この情報処理装置５は、建物２の制御室内などに設けられる。また、情報処理装置５は、コントローラ３、４と接続され、ネットワークを介して遠隔管理センタ６のサーバコンピュータ６０とも接続される。情報処理装置５としては、ノートパソコンなどのモバイルコンピュータが用いられる。
【００２８】
情報処理装置５は、図２に示すように、情報処理装置通信部５１と、処理部５２と、メモリ５３とを有している。情報処理装置通信部５１は、ネットワークを介して、遠隔管理センタ６のサーバコンピュータ６０から送信される処理前データＤを受信する。処理部５２は、情報処理装置通信部５１において受信される処理前データＤを対応データｄ１および対応データｄ２に情報処理する。対応データｄ１は、後述するコントローラ３のアーキテクチャＡ１に対応する。対応データｄ２は、後述するコントローラ４のアーキテクチャＡ２に対応する。対応データｄ１、ｄ２には、処理前データＤと同様に空気調和装置１０、１１、１２の機器情報が含まれている。機器情報とは、空気調和装置１０、１１、１２の機種名、設置情報、稼働情報などである。メモリ５３は、情報処理装置通信部５１において受信される処理前データＤと処理部５２において情報処理される対応データｄ１および対応データｄ２とを保持する。また、情報処理装置通信部５１は、処理部５２において情報処理される対応データｄ１をコントローラ３に対して送信し、処理部５２において情報処理される対応データｄ２をコントローラ４に対して送信する。
【００２９】
情報処理装置５が対応データｄ１、ｄ２をコントローラ３、４にそれぞれ送信した後には、図４に示すように、情報処理装置５が取り除かれた空気調和装置の管理システムにおいて空気調和装置１０、１１、１２が管理される。
（コントローラ）
コントローラ３、４は、空気調和装置１０、１１、１２の管理のために空気調和装置１０、１１、１２と接続され、建物２の制御室内などに設けられる。空気調和装置１０、１１、１２の管理を行う際に、コントローラ３、４は、ネットワークを介してサーバコンピュータ６０に接続されている。ところが、コントローラ３、４の入れ替え時、または、新規なコントローラの追加時などには、一時的に情報処理装置５と接続される。
【００３０】
コントローラ３は、アーキテクチャＡ１に基づいて稼働している。コントローラ３は、図３に示すように、コントローラ通信部３１と、管理部３２と、メモリ３３とを有している。コントローラ通信部３１は、空気調和装置１０、１１や情報処理装置５などに対してデータの送受信を行う。さらに、コントローラ通信部３１は、アーキテクチャＡ１に対応する対応データｄ１を情報処理装置５から受信する。管理部３２は、対応データｄ１に基づいて空気調和装置１０、１１を管理する。メモリ３３は、コントローラ通信部３１において送受信されるデータや情報処理装置５から送信される対応データｄ１などを保持する。
【００３１】
コントローラ４は、アーキテクチャＡ２に基づいて稼働している。コントローラ４は、図３に示すように、コントローラ通信部４１と、管理部４２と、メモリ４３とを有している。コントローラ通信部４１は、空気調和装置１２や情報処理装置５などに対してデータの送受信を行う。さらに、コントローラ通信部４１は、アーキテクチャＡ２に対応する対応データｄ２を情報処理装置５から受信する。管理部４２は、対応データｄ２に基づいて空気調和装置１２を管理する。メモリ４３は、コントローラ通信部４１において送受信されるデータや情報処理装置５から送信される対応データｄ２などを保持する。
【００３２】
＜コントローラの対応データ取得過程＞
上記のような機器から構成される空気調和装置の管理システム１では、コントローラ３、４の新規配備時において、コントローラ３、４が、アーキテクチャＡ１、Ａ２に対応する対応データｄ１、ｄ２を取得する必要がある。コントローラ３、４が対応データｄ１、ｄ２を取得する過程のフローを図５に示す。
【００３３】
まず、処理前データＤが、サーバコンピュータ６０のデータベース６２に保持されている（ステップＳ１００）。この処理前データＤが、ネットワークを介して、サーバコンピュータ６０のサーバ通信部６１から情報処理装置５に対して送信される（ステップＳ１０１）。サーバコンピュータ６０から送信された処理前データＤは、情報処理装置５の情報処理装置通信部５１において受信される（ステップＳ１０２）。この処理前データＤは、処理部５２において対応データｄ１および対応データｄ２に情報処理される（ステップＳ１０３）。対応データｄ１は情報処理装置５の情報処理装置通信部５１によりコントローラ３に対して、対応データｄ２はコントローラ４に対してそれぞれ送信される（ステップＳ１０４）。情報処理装置５から送信された対応データｄ１がコントローラ３のコントローラ通信部３１において受信され、情報処理装置５から送信された対応データｄ２がコントローラ４のコントローラ通信部４１において受信される（ステップＳ１０５）。対応データｄ１は、コントローラ３のメモリ３３に保持されると共に、管理部３２において空気調和装置１０、１１の管理に用いられ、対応データｄ２は、コントローラ４のメモリ４３に保持されると共に、管理部４２において空気調和装置１２の管理に用いられる（ステップＳ１０６）。
【００３４】
＜空気調和装置の管理システムの特徴＞
（１）
この空気調和装置の管理システム１では、処理前データＤから対応データｄ１、ｄ２への情報処理が、情報処理装置５において行われている。したがって、この空気調和装置の管理システム１では、コントローラ３、４が処理前データＤを対応データｄ１、ｄ２に情報処理するための記憶容量を備える必要がない。このため、この空気調和装置の管理システム１では、空気調和装置１０、１１、１２を管理するために用いられるコントローラ３、４のメモリ３３、４３の記憶容量を低減することができる。
【００３５】
（２）
この空気調和装置の管理システム１では、サーバコンピュータ６０が空気調和装置１０、１１、１２の設置される建物２から遠方に設けられている。したがって、システムの管理者などが、サーバコンピュータ６０の管理や操作などのために建物２に出向く必要がない。このため、この空気調和装置の管理システム１では、システムの有用性が向上する。
【００３６】
（３）
この空気調和装置の管理システム１では、コントローラ３、４が、空気調和装置１０、１１、１２の設置される建物２に配置されている。したがって、コントローラ３、４が空気調和装置１０、１１、１２を管理する際には、コントローラ３、４と空気調和装置１０、１１、１２との間の通信状況が良好であれば、コントローラ３、４は空気調和装置１０、１１、１２を安定的に管理することができる。このため、この空気調和装置の管理システム１では、空気調和装置１０、１１、１２の管理を安定して行うことができる。
【００３７】
（４）
この空気調和装置の管理システム１では、情報処理装置５が空気調和装置１０、１１、１２の設置される建物２に配置されている。したがって、情報処理装置５の作業者などが、空気調和装置１０、１１、１２の設置状況など現地の状況に応じて情報処理装置５を操作することができる。このため、この空気調和装置の管理システム１では、システムの利便性が向上する。
【００３８】
（５）
この空気調和装置の管理システム１では、一台のサーバコンピュータ６０から情報処理装置５に対して処理前データＤが送信されている。そして、情報処理装置５において処理前データＤが対応データｄ１、ｄ２に情報処理される。対応データｄ１、ｄ２は、情報処理装置通信部５１によりそれぞれコントローラ３、４に対して送信される。したがって、複数台のコントローラ３、４が対応データｄ１、ｄ２を取得するために、サーバコンピュータ６０を複数台設ける必要がない。このため、この空気調和装置の管理システム１では、システムの構成が簡素化される。
【００３９】
（６）
この空気調和装置の管理システム１では、処理前データＤのデータ形式がＸＭＬなどの汎用的なデータ形式である。一般的に、汎用的なデータ形式を有するデータは、容量が大きい。したがって、この処理前データＤも、容量が大きくなっている。従来の空気調和装置の管理システムでは、この容量の大きい処理前データＤを対応データｄ１、ｄ２に情報処理するために、コントローラがさらに多大な記憶容量を備える必要がある。しかし、この空気調和装置の管理システム１では、処理前データＤを対応データｄ１、ｄ２に情報処理するための多大な記憶容量を有するメモリをコントローラが備える必要がない。このため、この空気調和装置の管理システム１では、空気調和装置１０、１１、１２の管理に用いるコントローラ３、４のメモリ３３、４３の記憶容量をさらに低減することができる。
【００４０】
（７）
この空気調和装置の管理システム１では、対応データｄ１、ｄ２に空気調和装置１０、１１、１２の機器情報が含まれている。機器情報とは、空気調和装置１０、１１、１２の機種名、設置情報、稼働情報などである。したがって、コントローラ３、４は、空気調和装置１０、１１、１２の機器情報に基づいて空気調和装置１０、１１、１２を管理することができる。つまり、コントローラ３、４が、空気調和装置１０、１１、１２をより詳細に管理することができる。このため、この空気調和装置の管理システム１では、システムの有用性が向上する。
【００４１】
（８）
この空気調和装置の管理システム１では、情報処理装置５が、コントローラ３、４の入れ替え時、または、新規なコントローラの追加時などにおいて、一時的に用いられる。したがって、上記の場合以外においては、情報処理装置５を設ける必要がない。このため、この空気調和装置の管理システム１では、システムの構成が簡素化される。
【００４２】
（９）
この空気調和装置の管理システム１では、情報処理装置５がモバイルコンピュータである。したがって、ネットワークの通信状態が良好でない場合には、遠隔管理センタ６において、情報処理装置５がサーバコンピュータ６０から処理前データＤを取得することができる。そして、作業者などが、建物２に情報処理装置５を携行することができる。その後、情報処理装置５は、コントローラ３、４に対して対応データｄ１、ｄ２を送信することができる。このようにネットワークの通信状態が良好でない場合であっても、コントローラ３、４は対応データｄ１、ｄ２を取得することができる。このため、この空気調和装置の管理システム１では、システムの利便性が向上する。
【００４３】
＜他の実施の形態＞
以上、本発明について説明したが、具体的な構成は、上記の実施の形態に限られるものではなく、発明の要旨を逸脱しない範囲で変更可能である。
（ａ）
上記実施の形態では、サーバコンピュータ６０が空気調和装置１０、１１、１２の配置される建物２から遠方に設けられている。これに代えて、サーバコンピュータが管理対象の空気調和装置の配置される建物の近傍、もしくは建物内に設けられてもよい。
【００４４】
（ｂ）
上記実施の形態では、コントローラ３、４が空気調和装置１０、１１、１２の配置される建物２に設けられている。これに代えて、コントローラが管理対象の空気調和装置の配置される建物から遠方に設けられてもよい。
（ｃ）
上記実施の形態では、情報処理装置５が空気調和装置１０、１１、１２の配置される建物２に設けられている。これに代えて、情報処理装置が管理対象の空気調和装置の配置される建物から遠方に設けられてもよい。
【００４５】
（ｄ）
上記実施の形態では、複数台のコントローラ３、４が対応データｄ１、ｄ２を取得するために、一台のサーバコンピュータ６０が設けられている。これに代えて、複数台のコントローラが対応データを取得するために、複数台のサーバコンピュータが設けられてもよい。
【００４６】
（ｅ）
上記実施の形態では、情報処理装置５がモバイルコンピュータである。これに代えて、情報処理装置が、遠隔管理センタや建物内の制御室などに常設される汎用の情報処理装置であってもよい。
（ｆ）
上記実施の形態では、遠隔管理センタ６のサーバコンピュータ６０が一棟の建物２に配置される情報処理装置５に接続されている。これに代えて（加えて）、遠隔管理センタ１０６のサーバコンピュータが、複数棟の建物１０２、２０２に配置される情報処理装置１０５、２０５に接続されてもよい（図６参照）。
【００４７】
この場合、情報処理装置１０５は、コントローラ１０３に接続される。コントローラ１０３は、空気調和装置１１０、１１１に接続され、空気調和装置１１０、１１１を管理する。また、情報処理装置２０５は、コントローラ２０３に接続される。コントローラ２０３は、空気調和装置２１０に接続され、空気調和装置２１０を管理する。
【００４８】
【発明の効果】
以上の説明に述べたように、本発明によれば、以下の効果が得られる。
請求項１に係る発明では、処理前データから対応データへの情報処理が、処理装置において行われる。したがって、この機器管理システムでは、管理装置が、処理前データを対応データに情報処理するための記憶容量を備える必要がない。このため、この機器管理システムでは、設備機器の管理に用いる管理装置の記憶容量を低減することができる。
【００４９】
請求項２に係る発明では、提供装置が現地から遠方に設けられる。したがって、例えばシステムの管理者などが、提供装置の管理や操作のために現地に出向く必要がない。このため、この機器管理システムでは、システムの有用性が向上する。
請求項３に係る発明では、管理装置は、設備機器の設けられる現地に設けられる。したがって、管理装置が設備機器を管理する際には、例えば公衆回線の通信状況などの影響を受けにくい。つまり、管理装置と設備機器との間の通信状況が良好であれば、管理装置は設備機器を安定的に管理することができる。このため、この機器管理システムでは、設備機器の管理を安定して行うことができる。
【００５０】
請求項４に係る発明では、処理装置は、設備機器の設けられる現地に設けられる。したがって、例えば処理装置の作業者などが、設備機器の設置状況など現地の状況に応じて処理装置を操作することができる。このため、この機器管理システムでは、システムの利便性が向上する。
請求項５に係る発明では、一台の提供装置が、処理前データを処理装置に提供する。処理装置は、複数台の管理装置に対応データを提供する。したがって、複数台の管理装置が対応データを取得するために、一台の提供装置が設けられている。つまり、複数台の管理装置に対して提供装置を複数台設ける必要がない。このため、この機器管理システムでは、システムの構成が簡素化される。
【００５１】
請求項６に係る発明では、処理前データが汎用的なデータ形式を有している。一般的に、汎用的なデータ形式を有するデータは、容量が大きい。したがって、この処理前データも、容量が大きくなっている。従来の機器管理システムの管理装置においては、この容量の大きい処理前データを対応データに情報処理するためには、さらに多大な記憶容量が必要となっている。しかし、この機器管理システムでは、処理前データを対応データに情報処理するための記憶容量を管理装置が備える必要がない。このため、この機器管理システムでは、設備機器の管理に用いる管理装置の記憶容量をさらに低減することができる。
【００５２】
請求項７に係る発明では、対応データは、設備機器の機器情報を有している。したがって、管理装置は、設備機器の機器情報に基づいて設備機器を管理することができる。つまり、管理装置が、設備機器を詳細に管理することができる。このため、この機器管理システムでは、システムの有用性が向上する。
請求項８に係る発明では、処理装置が、管理装置の入れ替え時または追加時に、一時的に用いられる。したがって、管理装置の入れ替え時または追加時以外の場合には、この機器管理システムに処理装置を設ける必要がない。このため、この機器管理システムにおいては、システムの構成が簡素化される。
【００５３】
請求項９に係る発明では、処理装置が携行可能である。したがって、例えば公共回線の通信状態が良好でない場合には、提供装置の設置される場所において、提供装置から処理装置に対して処理前データを提供することができる。そして、例えば作業者などが処理装置を現地に携行することができる。その後、処理装置は、管理装置に対応データを提供することができる。このように、公共回線の通信状態が良好でない場合であっても、管理装置は対応データを取得することができる。このため、この機器管理システムでは、システムの利便性が向上する。
【００５４】
請求項１０に係る発明では、処理前データから対応データへの情報処理が、情報処理装置において行われている。したがって、この機器管理装置は、処理前データを対応データに情報処理するための記憶容量を備える必要がない。このため、この機器管理装置では、設備機器の管理に用いる記憶容量を低減することができる。
【００５５】
請求項１１に係る発明では、処理前データから対応データへの情報処理が、情報処理装置において行われる。したがって、この情報処理装置では、機器管理装置が、処理前データを対応データに情報処理するための記憶容量を備える必要がない。このため、この情報処理装置を用いれば、機器管理装置の記憶容量を低減することができる。
【００５６】
請求項１２に係る発明では、処理前データから対応データへの情報処理が、情報処理装置において行われる。したがって、機器管理装置が、処理前データを対応データに情報処理するための記憶容量を備える必要がない。このため、この情報処理装置を用いれば、機器管理装置の記憶容量を低減することができる。
【図面の簡単な説明】
【図１】本発明の一実施の形態が採用される空気調和装置の管理システムの概要図。
【図２】空気調和装置の管理システムの一部の詳細構成図。
【図３】空気調和装置の管理システムの一部の詳細構成図。
【図４】空気調和装置の管理時における空気調和装置の管理システムの概要図。
【図５】コントローラが対応データを取得する過程のフロー図。
【図６】本発明の他の実施の形態が採用される空気調和装置の管理システムの概要図。
【符号の説明】
１                空気調和装置の管理システム（機器管理システム）
２                建物（現地）
３，４  コントローラ（管理装置）
５                情報処理装置（処理装置）
６                遠隔管理センタ
１０、１１、１２  空気調和装置
３２、４２        管理部
３３、４３        メモリ（保持部）
５１              情報処理装置通信部（取得部）
５２              処理部
６０              サーバコンピュータ（提供装置）
Ｄ                処理前データ
ｄ１、ｄ２        対応データ
【図１】
2004258974.tif 000003
【図２】
2004258974.tif 000004
【図３】
2004258974.tif 000005
【図４】
2004258974.tif 000006
【図５】
2004258974.tif 000007
【図６】
2004258974.tif 000008